(57)【要約】      （修正有）【課題】レンチキュラーレンズを表面に形成するレンチキュラーシート裏面に前記レンズを通して多重絵又は立体絵を形成する絵柄印刷層を形成し、この絵柄印刷層裏面に、例えば会社名、住所、氏名、電話番号等を表示する名刺や葉書の宛名等の印刷面を設けたレンチキュラー付印刷用シートを提供する。【解決手段】レンチキュラーレンズを表面に形成するレンチキュラーシート裏面に前記レンズを通して多重絵又は立体絵を形成する絵柄印刷層と、この絵柄印刷層の裏面に膜厚が１．５〜５．０μの白色インキ反射層と、この白色インキ反射層の裏面に膜厚が０．５〜２．５μの銀色インキ遮蔽層と、この銀色インキ遮蔽層の裏面に膜厚が１．５〜５．０μの白色インキ印刷層からなる印刷面とを連続的にオフセット印刷するようにした。【選択図】図３
0003143782.tif 000002
【実用新案登録請求の範囲】
【請求項１】
レンチキュラーレンズを表面に形成するレンチキュラーシートと、このシート裏面に前記レンズを通して多重絵又は立体絵を形成する絵柄印刷層とからなり、この絵柄印刷層の裏面に膜厚が１．５〜５．０μの白色インキ反射層と、この白色インキ反射層の裏面に膜厚が０．５〜２．５μの銀色インキ遮蔽層と、この銀色インキ遮蔽層の裏面に膜厚が１．５〜５．０μの白色インキ印刷層からなる印刷面とを設けたレンチキュラー付印刷用シート。
【請求項２】
前記レンチキュラーシートが、テレフタル酸とエチレングリコールを重合したポリエステルであり、かつこれにシクロヘキサンジメタノールを加えて共重合したコポリエステルからなる非結晶ポリエチレンテレフタレートであり、曲げ弾性率が１，８００〜２，３００Ｍｐａ、透明性が８３％以上、光線透過率が９０％以上である請求項１記載のレンチキュラー付印刷用シート。
【考案の詳細な説明】
【考案の詳細な説明】
【技術分野】
【０００１】  本考案は、レンチキュラーレンズを表面に形成するレンチキュラーシートの裏面に前記レンズを通して多重絵又は立体絵を形成する絵柄印刷層を形成し、この絵柄印刷層裏面に、例えば会社名、住所、氏名、電話番号等を表示する名刺や葉書の宛名等の印刷面を設けたレンチキュラー付印刷用シートに関するものである。
【背景技術】
【０００２】  例えば、特開２０００−１４７６９５号公報には、被写体に対して視差または時差のある複数の画像を、レンチキュラーシートにオフセット印刷によって、直接印刷したレンチキュラー表示物が提供されている。【０００３】  そして、被写体に対して視差または時差のある複数の画像を、レンチキュラーシートにオフセット印刷によって、直接印刷したレンチキュラー表示物を提供することによって、生産工程を少なくすることができ、大量生産ができ、コストダウンが可能となる旨記載されている（該公報段落［００２８］［００２９］参照）。【０００４】  しかしながら、この発明においては、被写体に対して視差または時差のある複数の画像の裏面に白色等の反射体を設けていないので、レンズ側へ画像を鮮明に映し出すことが出来ない。【０００５】  また、特開２００４−１９１７２６号公報には、表面に連続凹凸面、裏面に平滑面を有し、裏面に印刷層を設けてなるレンチキュラーシートであって、前記レンチキュラーシートがグリコール変性ポリエチレンテレフタレートを８〜１２％配合してなる非結晶ポリエチレンテレフタレートからなることを特徴とするレンチキュラーシートであって、前記印刷層は紫外線硬化型インキであるレンチキュラーシートが提供されている。【０００６】  そして、グリコール変性ポリエチレンテレフタレートを他の非結晶ポリエチレンテレフタレートと混合し、かつその混合割合を８〜１２％とすることで、透明性、加工適性、印刷適性を好適なものとすることが可能であると共に、レンチキュラーシートに熱を加えることなく直接印刷を行えるので加熱による変形などなく印刷が可能で、画像印刷の他に高濃度の白色反射印刷層３を適宜設ける場合であっても、溶剤を使わないのでクラック等の問題が発生せずに印刷することが可能で、さらにインキ被膜が比較的柔軟であるので好適に切断、積層等の後加工をすることができる旨記載されている（該公報段落［０００９］［００１１］参照）。【０００７】  しかしながら、この発明においては、画像印刷層の裏面に白色等の反射印刷層を形成しているが、この白色等の反射印刷層の裏面に光遮蔽層を設けていないので、前記画像をレンズ側へ絵柄をより鮮明に映し出すことができない。【０００８】  また、特開平１１−０３０８２５号公報には、表面が細長い凸レンズを並べたレンチキュラーレンズであり、裏面がフラットであるスクリーンと、スクリーンの裏面に直接印刷され、細長い前記凸レンズに沿ってドッドが配列されたドッドマトリックス形式であって、長細い前記凸レンズを通して合成すると立体像になる立体画像と、立体画像の上から前記裏面に設けられた反射層４とを備えてなる立体印刷物が提供されている。【０００９】  そして、前記反射層４は好ましくは、印刷の最終工程で、反射のために、一色、ホワイト、銀色のいずれかのプラス印刷で設けられる旨記載されている。【００１０】  しかしながら、この発明においては、立体像の裏面に設けられた一色、ホワイト、銀色等の反射層はある一定以上の厚さを有していなければ、立体像をより鮮明にレンズ側へ映し出すことが出来ない。【００１１】  さらに、特開２００７−０３０４２０号公報には、複数の半円筒状または円弧状の細���い凸部が並列に配置された凸部面および裏面とを有するレンチキュラーレンズ層と、前記裏面上に形成されたインク吸収層とを少なくとも有してなり、インク吸収層側からインクジェット記録方法によって印字を行い画像が記録される記録媒体であって、片面または両面に接着層が設けられたシートの片面に貼り付けて用いられ、該シートと仮貼り可能な部分が設けられてなることを特徴とする記録媒体が記載されている。【００１２】  そして、この発明はレンチキュラーレンズを用いた画像の形成に適し、葉書、壁、台紙などの支持体に容易に固着可能なインクジェット記録用記録媒体の提供を目的としている。【００１３】  しかしながら、この発明においてはレンチキュラーレンズ層を、片面または両面に接着層が設けられた葉書、壁、台紙などのシートの片面に貼り付けて用いるため手間を要し、このようなシートの大量生産に向かない。
【考案が解決しようとする課題】
【００１４】  ポリエチレンテレフタレート系生分解性樹脂シート面に鮮明な多重絵又は立体絵を写し出すことができる一方、レンチキュラーシートに印刷された前記絵柄をレンズ側へ鮮明に映し出すと共に、銀色インキ遮蔽層により絵柄の裏面側への透過を遮断してこの絵柄をレンズ側へさらに鮮明に映し出すことができると共に、銀色インキ遮蔽層により前記絵柄の裏面側への透過を遮断することにより、さらに銀色インキ遮蔽層裏面に設ける白色インキ印刷層の印刷面に前記絵柄が投影されることなく印刷面をクリアーな白色印刷面に保持することができるレンチキュラー付印刷用シートを提供することを課題とする。
【課題を解決する手段】
【００１５】  請求項１の考案は、レンチキュラーレンズを表面に形成するレンチキュラーシートと、このシート裏面に前記レンズを通して多重絵又は立体絵を形成する絵柄印刷層とからなり、この絵柄印刷層の裏面に膜厚が１．５〜５．０μの白色インキ反射層と、この白色インキ反射層の裏面に膜厚が０．５〜２．５μの銀色インキ遮蔽層と、この銀色インキ遮蔽層の裏面に膜厚が１．５〜５．０μの白色インキ印刷層からなる印刷面とを設けたレンチキュラー付印刷用シートを提供するものである。
【００１６】  この考案においては、絵柄印刷層の裏面に膜厚が１．５〜５．０μの白色インキ反射層とこの白色インキ反射層の裏面に膜厚が０．５〜２．５μの銀色インキ遮蔽層とを設けたので、白色インキ反射層によりレンチキュラーシート裏面に印刷された絵柄をレンズ側へ鮮明に映し出すと共に、銀色インキ遮蔽層により絵柄の裏面側への透過を遮断してこの絵柄をレンズ側へさらに鮮明に映し出すことができる。
【００１７】  また、前記膜厚が０．５〜２．５μの銀色インキ遮蔽層と、この銀色インキ遮蔽層の裏面に膜厚が１．５〜５．０μの白色インキ印刷層からなる印刷面とを設けたので、銀色インキ遮蔽層により前記絵柄の裏面側への透過が遮断されるため、前記印刷面に絵柄が投影されることなく、会社名、住所、氏名、電話番号等を表示する名刺や葉書の宛名等の印刷面をクリアーな白色印刷面に保持することができる。
【００１８】  請求項２の考案は、前記レンチキュラーシートが、テレフタル酸とエチレングリコールを重合したポリエステルであり、かつこれにシクロヘキサンジメタノールを加えて共重合したコポリエステルからなる非結晶ポリエチレンテレフタレートであり、曲げ弾性率が１，８００〜２，３００Ｍｐａ、透明性が８３％以上、光線透過率が９０％以上である請求項１記載のレンチキュラー付印刷用シートを提供するものである。
【００１９】  この考案においては、生分解性樹脂であるポリエチレンテレフタレートシートを使用しているので、塩ビと異なり、焼却方法の如何を問わず塩素系ガスを発生せず、完全燃焼させることにより水と二酸化炭素とに分解することができる。また非結晶であるので、透明性が８３％以上、光線透過率が９０％以上と抜群の透明性及び光線透過性を有していて絵柄を鮮明に透過することができ、安定剤や可塑剤などの添加剤を含まないので安全性が高い。また、低温耐衝撃性、静電気保護、防曇特性、ＵＶカット特性、易接着特性が良好である。さらに、曲げ弾性率が１，８００〜２，３００Ｍｐａと名刺や葉書等の印刷用シートとして好適である。
【考案を実施するための最良の形態】
【００２０】  以下に本発明の一実施形態を説明する。図１は多数の線状レンズを形成するレンチキュラーシートの表面図、図２は図１の裏面であり、会社名、住所、氏名、電話番号等を表示する名刺の印刷面を表す裏面図、図３は図１の縦断面部分拡大図である。【００２１】  図１及び図３に示す如く、多数のレンチキュラーレンズＬ・・・を表面に形成するレンチキュラーシート１と、このシート１裏面に前記レンズＬ・・・を通して多重絵又は立体絵を形成する絵柄印刷層２とからなり、この絵柄印刷層２の裏面に膜厚が３．０μの白色インキ反射層３と、この白色インキ反射層３の裏面に膜厚が１．５μの銀色インキ遮蔽層４と、この銀色インキ遮蔽層４の裏面に膜厚が３．０μの白色インキ印刷層５とからなる印刷面６とを設けてレンチキュラー付印刷用シートを構成している。【００２２】  前記レンチキュラーシート１は、テレフタル酸とエチレングリコールを重合したポリエステルであり、かつこれにシクロヘキサンジメタノールを加えて共重合したコポリエステルからなる非結晶ポリエチレンテレフタレートからなる。この非結晶ポリエチレンテレフタレートは測定の結果、曲げ弾性率が１，８００〜２，３００Ｍｐａ、透明性が８３％以上、光線透過率が９０％以上である。【００２３】  前記絵柄印刷層２、白色インキ反射層３、銀色インキ遮蔽層４及び白色インキ印刷層５は、顔料１５〜２５ｗｔ％、アクリル酸樹脂１０〜３０ｗｔ％、アクリル酸モノマー３０〜６０ｗｔ％、アクリル酸オリゴマー０〜３０ｗｔ％、開始剤及び増感剤５〜１５ｗｔ％、補助剤５〜１０ｗｔ％の組成からなるインキである。【００２４】  レンチキュラーレンズＬ・・・を表面に形成するレンチキュラーシート１裏面に前記レンズＬ・・・を通して多重絵又は立体絵を形成する絵柄印刷層２と、この絵柄印刷層２の裏面に膜厚が３．０μの白色インキ反射層３と、この白色インキ反射層３の裏面に膜厚が１．５μの銀色インキ遮蔽層４と、この銀色インキ遮蔽層４の裏面に膜厚が３．０μの白色インキ印刷層５からなる印刷面６とを連続的にオフセット印刷して得られる。前記各層のオフセット印刷１回の膜厚を１．５μとしているので、白色インキ反射層３と白色インキ印刷層５とは２回、銀色インキ遮蔽層４は１回の印刷である。
【考案の効果】
【００２５】  この考案においては、ポリエチレンテレフタレート系生分解性樹脂シート面に定着性の優れたインキの絵柄印刷層を形成でき、鮮明な多重絵又は立体絵を写し出すことができる一方、レンチキュラーシートに印刷された前記絵柄をレンズ側へ鮮明に映し出すと共に、銀色インキ遮蔽層により絵柄の裏面側への透過を遮断してこの絵柄をレンズ側へさらに鮮明に映し出すことができると共に、銀色インキ遮蔽層により前記絵柄の裏面側への透過を遮断して、前記印刷面に絵柄が投影されることなく印刷面をクリアーな白色印刷面に保持することができるレンチキュラー付印刷用シートを得ることができる。
【図面の簡単な説明】
【００２６】
【図１】多数の線状レンズを形成するレンチキュラーシートの表面図
【図２】図１の裏面であり、会社名、住所、氏名、電話番号等を表示する名刺の印刷面を表す裏面図
【図３】図３は図１の縦断面部分拡大図
【符号の説明】
Ｌ・・・    多数のレンチキュラーレンズ
１          レンチキュラーシート
２          絵柄印刷層
３          白色インキ反射層
４          銀色インキ遮蔽層
５          白色インキ印刷層
６          印刷面
【図１】
0003143782.tif 000003
【図２】
0003143782.tif 000004
【図３】
0003143782.tif 000005